(57)【特許請求の範囲】
【請求項１】
樋形でスカムを水とともに誘引する側を水面下に位置させて固定して設けられたトラフと、同トラフの前記誘引する側から水面方向に伸びて取り付けられた弾性変形自在な変位部材とを備えるとともに、同変位部材を変位させる駆動手段とを備え、前記変位部材は中空型で、上方からの力で低くなって水面のスカムを呑み込む姿勢となる一方、その力を解除することで上向きに復元してスカムの流入を阻止する姿勢になるように構成されているスカム除去装置であって、前記変位部材は、断面が略四角形で、その稜が上下および前後に位置するように向けられているとともに、同変位部材の下端の稜から下向きに突設された下突片がトラフの前面に取り付けられる一方、同変位部材の上端の稜から上向きに突設された上突片が堰を兼ねて駆動手段に連動自在に連結されていることを特徴とするスカム除去装置。
【発明の詳細な説明】
【０００１】
【産業上の利用分野】
この発明は、最初あるいは最終沈澱池等において水面に浮遊するスカムを回収・除去するためのスカム除去装置に関する。
【０００２】
【従来の技術】
最初あるいは最終沈澱池や曝気槽などにおいては、その水面にスカムが浮遊するが、これらのスカムを回収・除去するため種々の技術が開発されている。
その中で、池の中に樋形のトラフを固定し、同トラフのスカム誘引側を水面よりも低く設定してその誘引側に堰部材を設けたものがある。
堰部材は、下動して水面のスカムを誘引する一方、上動してスカムを堰止めて集めるように機能するが、この堰部材を含めてそれを支持する部材等が堰機構として構成されている。
【０００３】
【発明が解決しようとする課題】
ところで、これまでの堰機構は、構造が複雑化しがちで、施工が大変になっていた。
【０００４】
この発明は前記課題を解決するためになされたもので、その目的とするところは、更なるコストダウンと施工の容易化を図れるようにしたスカム除去装置を提供することにある。
【０００５】
【課題を解決するための手段】
前記課題を解決するため、請求項１記載の発明は、樋形でスカムを水とともに誘引する側を水面下に位置させて固定して設けられたトラフと、同トラフの前記誘引する側から水面方向に伸びて取り付けられた弾性変形自在な変位部材とを備えるとともに、同変位部材を変位させる駆動手段とを備え、前記変位部材は中空型で、上方からの力で低くなって水面のスカムを呑み込む姿勢となる一方、その力を解除することで上向きに復元してスカムの流入を阻止する姿勢になるように構成されているスカム除去装置であって、前記変位部材は、断面が略四角形で、その稜が上下および前後に位置するように向けられているとともに、同変位部材の下端の稜から下向きに突設された下突片がトラフの前面に取り付けられる一方、同変位部材の上端の稜から上向きに突設された上突片が堰を兼ねて駆動手段に連動自在に連結されていることを特徴とする。
【０００６】
【実施例】
以下、図示した実施例を参照してこの発明を詳細に説明する。
【０００７】
図１、図２、この発明の一実施例である。
【０００８】
図１は、図２のＩ−Ｉ線断面図、図２は図１のＩＩ−ＩＩ線断面図である。
【０００９】
沈澱池内には、４軸型の内の１つである回転軸１がスプロケット２を備えて設けられている。
【００１０】
同スプロケット２に掛けられたチェーン３が循環駆動されることで、その回りに配されたフライト４…が循環駆動される。
【００１１】
同フライト４は、水面５のスカムを図１の左方向に掻き寄せたあと、斜めに下がるように運動する。
【００１２】
その上方にトラフ７が設けられている。
【００１３】
このトラフ７は、コの字形で樋形のものをその一側であるスカム誘引側を水面５よりも低くした形状になっている。
【００１４】
同トラフ７の両端には、フランジ８が取り付けられている。
【００１５】
同フランジ８には、池側壁９に挿通固定された連通トラフ１０のフランジ１１にボルト連結されている。
【００１６】
トラフ７には、隣のトラフからのスカム水が流れてきて一方向に同スカム水を流す。
【００１７】
そのため、トラフ７は一方向に僅かに傾斜している。
【００１８】
このトラフ７の前記誘引側には、変位部材１３が止着具（ボルトナット）１４…で取り付けられている。
【００１９】
この変位部材１３は、ゴムあるいはこれと同等の弾性変形自在な樹脂等により作製され、この実施例では、同変位部材１３は、ゴム製で帯長薄板材になっている。
【００２０】
変位部材１３の先端である上端には、ステンレスなどによる堰部材１５が止着具１４により着脱自在に取り付けられ、その上辺部には、図２に示すように、切欠１６…が形成されている。変位部材１３と堰部材１５は、共に前後に変位自在とされるとともに、変位部材１３の両側に対応するトラフ７側には、変位部材１３が摺動してシール効果を発揮するシール側板１７が左右対向状に配されている。
【００２１】
トラフ７の下回り外周には、左右に離間対向状で固定ブラケット１８が左右２組の配されている。これら両ブラケット１８は、トラフ７の長手方向中間を境に一定寸法離れて配されている。
【００２２】
各ブラケット１８の誘引側の上端には、支持軸１９が横軸状に挿通され、この軸１９を介して上下に向くようにくの字形の連動レバー２０がその上部で前後揺動自在に支持されている。堰部材１５の前面には、連動レバー２０に対応して左右１対のブラケット２１が突設されており、このブラケット２１に縦向きに明けられた長孔２２に、連動レバー２０の上端に挿通された連動ピン２３が移動可能に挿通されている。
【００２３】
連動レバー２０の下端にはローラ２４が取り付けられ、同ローラ２４が斜めに下がってくるフライト４に蹴られて連動レバー２０を一定角度揺動させるように臨んでいる。尚、図示のような長い連動レバー２０はいずれか一方とし、他方が支持軸１９より上部だけの短い連動レバーとし、長い連動レバー２０と短い連動レバーとを、図２に仮想線で示す伝達軸２５で同時連動させるようにしてもよい。前記ローラ２４は、フライト４側に設けてもよい。
【００２４】
このスカム除去装置は、次のように作用する。フライト４により水面５上のスカムが同除去装置の方向に順次掻き寄せられる。そして、斜めに下がるフライト４によりローラ２４が蹴られることで連動レバー２０が図１の矢印方向に緩徐に揺動される。連動レバー２０は、支持軸１９の回りに揺動してその上部の連動ピン２３は前方に移動する。
【００２５】
これに伴い、長孔２２を介してブラケット２１が前方に押し出され、堰部材１５も前方に下がるようにして押し出される。この作動は変位部材１３の弾性変形によりなされるもので、その結果、堰部材１５が下がって水面５以下になることより水面上のスカムが誘引される。尚、堰部材１５には切欠１６が形成されているので、同切欠１６の下端辺が水面以下になることによりこの切欠１６を通じて大きなスカムをも誘引してスカムの誘引が始まるとともにその他のスカムまでも手前まで引き寄せる。その後、堰部材１５の上端辺が水面以下になることにより前記引き寄せられたものを含めて小さなスカムまでもが誘引される。
【００２６】
フライト４がローラ２４を通過すると、変位部材１３の復元力で連動レバー２０も元の状態に戻される。これでスカムの誘引が止まる。
尚、図３に示すように、変位部材１３の基部に凹部２７を形成して曲がり易くすることがあり、また、図４に示すように、変位部材１３は先端に至るに従って薄く形成してより曲がり易く復元もし易くすることがある。
【００２７】
図５に示すように、変位部材１３それ自体が堰部材として機能するように構成することがある。また、同図に仮想線で示すように、同変位部材１３をトラフ７の内側に配すことがある。さらに、図６に示すように、変位部材１３は斜め前方に上がるように形成することもでき、この場合、その先端に堰部材１５を装着することができる。また、この例の場合も変位部材１３はトラフ７の内側に配すことができる。このように内向き斜めに変位部材１３を配すようにすると、外向き斜めに配すよりも、トラフ７上に載ったまま取付施工やメンテナンスができる有利さがでてくる。
【００２８】
ここで、駆動手段を図７、図８によって説明する。
図７の駆動手段は、トラフ７に垂直な変位部材１３を配し、これに堰部材１５を装着したものについてのもので、前述あるいは後述する実施例のいずれにも適用できる。すなわち、池上には幅方向に向く回転支点３０が設けられ、同支点３０には、作動アーム３１が前方に延び、その先端には、フライト４に装着したローラ３１で蹴られるカム３２が取り付けられている。この蹴りによりトラフ７側に左右１対で延びる連動アーム３３が下がり、変位部材２３の裏側から延びた作動レバー３４がローラ３５を介して押し下げられる。これにより、変位部材１３は、トラフ７の内側に押し下がり、水面のスカムを誘引させる。ローラ３１がカム３２を通過することで変位部材１３の力で堰部材１５が水面上に復元してスカムを止める。尚、この復元を促進させるため、連動アーム３３にフロートを備え付けてもよい。
【００２９】
図８は水の供給と排出を制御する水タンク方式の駆動手段の例を示す。この駆動手段は、回転支点３７を備え、同支点３７回りに水タンク３８を揺動自在に支持させてある。同タンク３８は、ストッパ３９で復帰状態とされる後部タンク４０と、排水口４４の開いた前部タンク４１と、前後間をつなぐ連通タンク４２よりなる。供給口４３から後部タンク４０に水が少量ずつ供給され、一定レベルに達すると連通タンク４２を通じて前部タンク４１内に流れ込む。前部タンク４１内の水が一定になると、水タンク３８は前下がりになり始め、更に水が増えることで更に前下がりになる。これにより、変位部材１３および堰部材１５はトラフ７内側に曲られて、スカムが誘引されるようになる。排水口４４からは供給量以上に水の排出が始まるので、水タンク３８は復帰方向に作動し、変位部材１３および堰部材１５は元の図示状態に戻される。尚、同図に仮想線で示すように、電動シリンダ４２で作動させることもある。
【００３０】
図９は変位部材１３の他の連動手段を示す。トラフ７内には、その長手方向に連動支点４７が設けられ、これに前記駆動手段で押し下げられるレバー４８が設けられている。このレバー４８は、長孔４９とピン５０を介してレバー５１を作動させ、変位部材１３を連動させる。
【００３１】
図１０から図１４は、流水溝として既設のコンクリート製トラフ７を利用して変位部材１３および堰部材１５を構成した実施例を示している。同トラフ７は、図１０の平面図および図１１の正面図に現行を示すように、池幅方向に長手方向を向けて配され、その中途にはスカムピット５３が連通して形成されている。そして、これまでは、ピット５３と池側壁との間でトラフ７前位置に回転式のスカムスキーマ５４が配され、同スキーマ５４の回転操作あるいは駆動により誘引口５５を通じてスカムを呑み込むように構成されている。
【００３２】
こうしたものにおいて、前記スカムスキーマ５４を撤去したあと、トラフ７の各×印をした個所をＵ字形にはつって除去し、このはつり部分５６に図１２ないし図１４に示す構造のスカム除去装置を構成したものである。すなわち、図１２は、はつり部分５６の底辺を水平に形成してその上に沿って長い取付基板５７を固定し、同基板５７から前向き斜めに変位部材１３を備え付け、さらに同変位部材１３の先に三角形で中空の堰部材１５を装着したものである。堰部材１５内には、水が浸入しても浮力を保つように発泡スチロール等の樹脂を充填材５８として入れてある。この駆動は、前記駆動手段による。
【００３３】
図１３は、はつり部分５６の底辺を内向き斜め上がりの面として形成し、その面あるいは内面を介して取付基板５７を備え付け、同基板５７を介して凹部５９を備えた変位部材１３を内向き斜めに装着し、さらにその先端に偏平四角筒形で充填材５８を入れた堰部材１５を装着したものである。同堰部材１５は矢印方向に駆動される。同実施例の場合、トラフ７上に載ったままで各部材の取付けができる点で安全な作業を約束し、しかも施工が簡略化される。
【００３４】
図１４は、はつり部分５６の底辺を逆に外向き斜め上がりに形成し、取付基板５７および変位部材１３を介して堰部材１５を装着したものである。
尚、図１２ないし図１４の堰部材１５は省略して変位部材１３を堰部材とすることも可能である。また、各実施例においては、側面シールを前記のように図１および図２のように構成する。
【００３５】
図１５は、ステンレス製等によるトラフ７の誘引側に、凹部６０を備えて曲げ易くした変位部材１３を取付け、これに偏平中空形で充填材６１を入れた堰部材１５を装着してある。仮想線で示すように取付けてもよい。
【００３６】
図１６は、トラフ７の前面切欠両端に軸受６３を対向状に配し、それぞれに回転軸６４を回転自在にさせるとともに、回転軸６４により上下揺動自在に長円形をした堰部材１５を取付けたものであり、堰部材１５とトラフ７の切欠底辺間はゴム製のシール部材６５で前方からの水のシールがなされている。このシール部材６５は、金属板の上端前面にゴムを配してゴムを堰部材１５の後端に接触するようにしてもよい。
【００３７】
図１７ないし図２０は、これまで使用されてきた木質のフライトあるいは樹脂製のフライトをそのままあるいは適宜加工をして堰部材１５としたものである。
図１７は、トラフ７前に変位部材１３を介して木質のフライトでなる堰部材１５を装着したものである。同堰部材１５は、フライトから基部の段部を形成して取付部６７としたものである。
【００３８】
図１８は、フライトに切り込み６９を形成して変位部材１３を差し込み式にしたものである。図１９は、一方に凹み７１を備える樹脂製のフライトを堰部材１５としたものである。凹み７１内には充填材７２を入れて浮力を発生するようにしてある。図２０は、凹み７１が上に向き取付けられたものである。尚、トラフ７は、四角筒形でもよい。
【００３９】
図２１は、変位部材１３および堰部材１５を全てゴムで一体成形したものである。堰部材１５内には充填材７４を入れてあるが省略してもよい。
【００４０】
図２２は、トラフ７の誘引側に全体がゴム製で四角筒形の変位部材１３を配し、同変位部材１３を上方から押さえ込んで仮想線で示すようにスカムを誘引するようにし、押さえ力を解除することでスカムを堰止めるようにしたものである。変位部材１３は、その稜が上下および前後に位置するように向けられているとともに、前後に合わせ型としてある。図２３に示すように、前後が一体型の変位部材１３としてもよい。尚、変位部材１３には凹部７６が曲がる個所に形成されている。
【００４１】
図２４ないし図２６は、前記のように木質あるいは樹脂製のフライトを堰部材１５として利用したものを示している。図２４は、フライトを薄く板状にしたものを中間材７８を介してボルト止めした堰部材１５をシール７９により上下運動自在に備え付けたものである。図２５は、フライトに溝８０を形成したものをそのまま堰部材１５として利用したものである。図２６は、樹脂製のフライトに充填材８２を付してこれを誘引側で上下運動自在な堰部材１５としたものである。
【００４２】
図２７は、図２２、図２３と関連する技術であるが、堰部材１５を中空で上下に長い楕円断面形状にしたものである。上下に長くしたのは、押さえ力を有効に変位に変えるためであり、横に長くしてもよい。
【００４３】
図２８ないし図３０は、前方に突き出し状の変位部材１３をそのまま堰部材１５としたものである。図２８は、前方に丸く膨らむ変位部材１３を示し、図２９はそれよりさらに前方にのり出した変位部材１３を示す。図３０は、角形に突き出す変位部材１３を示す。仮想線のように逆向きでもよい。尚、トラフ７の底面には、三角形の仮想線で示したように麦飯石８４を備え付けてもよい。この場合、トラフ７に凹み８５を形成して備え付けてもよい。
【００４４】
尚、前記各実施例において、変位部材１３は水平状に延ばしてもよい。また、前記各実施例では、ゴムの自然状態で水面上にあるように変位部材１３を構成していたが、自然状態で水面以下にあり力を加えて水面上にくるように構成することもできる。堰部材１５の支持には、トラフ７側に対して堰部材１５側をマグネットで上下運動自在に支持させることもできる。
【００４５】
図３１および図３２は、他の実施例を示している。このスカム除去装置は、コンクリート製の流水溝の前部をハツルことにより図３２のようにＵ字形に取り除いたものをトラフ９０としたものである。同流水溝の前方には、図示しない回転筒形のスカムスキーマーが設けられていたが、これは撤去してある。そして、ハツリにより除去された部分にハツリ長さより若干短い程度の堰部材９１を配し、水平軸回りに回転自在に設置した。
【００４６】
堰部材９１は、略半円筒状の本体９１ａの両端に半円形をした側板９１ｂを溶接にて取り付けるとともに、各側板９１ｂの中心から回転軸９１ｃを突設してある。この回転軸９１ｃは、取り付けられ９０の両端前面に固定した軸受９２によって支持されているとともに、堰部材９１の両端に半円形として接着したゴム製の側面シール９３を、ハツリ内側面９０ａに固定した内板９４に常時接触するようにして側部からの水の浸入を阻止するようにしてある。
【００４７】
トラフ９０の前面には、堰部材９１の外周円筒面に下方から接触するように底部シール９５が設けられ、同シール９５は、押さえ板９６とともに上下に移動調節可能に固定されている。尚、側面シール９３は、内板９４側に図３１の仮想線のように縦向き等に装着しておいて、これに堰部材９１とともに回転する側板を接触させるようにしてもよい。
【００４８】
尚、図３１に仮想線で示すように、沈澱池内で循環運動してくるフライト９８により蹴られる倣い部材９９を回転軸１００回りに回転自在に支持し、同倣い部材９９の後端に伝達ロッド１０１等を介して前記堰部材９１を押し下げ方向に連動させるようにしてもよい。また、この実施例ではトラフ９０がコンクリート製であったが、ステンレス等のメタル製や樹脂製にしてもよい。
【００４９】
図３１では、堰部材９１の丸面が前方を向いていたが、図３３の実施例では、丸面が後方を向いている。この場合、堰部材９１の前面には、横帯長状の前板１０３を溶接して堰部材９１を中空状に形成してもよい。また、この場合の底部シール９５は、トラフ９０の前面から垂直に延ばしたが、仮想線のようにハツリ面から垂直（板状あるいはブロック状）または、トラフ前面から斜め前方に延びて配してもよい。さらに、図３４に示すように、堰部材９１をトラフ９０のハツリ角部に突設してもよい。
【００５０】
図３４に示す実施例のように、図３３の実施例の堰部材９１あるいは図３１の実施例の堰部材９１の上端あるいはその近傍に突起１０５を設けてもよい。尚、同突起１０５の長手方向には、切欠を形成して大きなスカムが円滑に流入するようにしてもよい。
【００５１】
図３５に示すように、図３１ないし図３４の実施例において、堰部材９１から前方斜め上に左右１対のアーム１０７を突設し、同アーム１０７に、取付位置を調節可能な補助フロート１０８を取り付けて、仮想線のように補助フロート１０８が水面上にくることでブレーキが作用して、堰部材９１の回転角度を規定するように構成できる。同構成は、以下の実施例でも同じく適用できる。
【００５２】
図３６は、トラフ１１０の前側に、両端を回転軸１１１で支持した堰部材１１２を備え、その底部を前部シール１１３で密閉する一方、回転側板１１４を固定側の側部シール１１５に接触させるようにしたもので、さらに、堰部材１１２は、中空形で長円形状をしたものになっているとともに、同堰部材１１２からはアーム１１６を突設してその上端に水タンク１１７を回転自在に取り付けてある。
【００５３】
水タンク１１７は、左右に１個あるいは複数個配され、その内部に外部から連通チューブ１１８が接続されているとともに、底部には微量排水口１１９が明けられている。
【００５４】
図３６の左上に示す装置は、少量の給水を溜めてそれが一定のレベルになることで一括して水タンク１１７内に給水し、堰部材１１２を押し下げるようにするものである。同装置における１２１は制御タンクで、前記連通チューブ１１８が接続されている。この制御タンク１２１には、孔１２２付きの蓋１２３が着脱自在に付されているとともに、孔１２２の上には覆い板１２０が設けられている。
【００５５】
制御タンク１２１内にはブラケット１２４が設けられ、同ブラケット１２４には、軸１２５とアーム１２６により上下運動自在にフロート１２７が取り付けられている。また、軸１２５の回りには、内部の水レベルが図示の状態から増加することで上方に変換移動するバネ１２８付切り換えレバー１２９がＶ字形のものとして回転自在に備え付けられている。このレバー１２９の下端にはチェーン１３０がぶら下げられ、同チェーン１３０の下端に、浮動用フロート１３１を備えた制御バルブ１３２が軸１３３に上下運動可能に取り付けられている。
【００５６】
水タンク１１７が空で堰部材１１２が浮き上がった図示状態において、タンク１２１内には、絞りで給水量を調節できる給水口１３４を通じてやや微量ずつ継続して供給されてくる。制御バルブ１３２は閉止されているので、タンク１２１内は徐々にレベルが上がってくる。そして、同時に上がるフロート１２７が図示より少し高いレベルまでくると、アーム１２６が切り換えレバー１２９の上辺部を押し上げ、バネ１２８がレバー１２９を上向きに瞬時に回転させることで、チェーン１３０を介して制御バルブ１３２を持ち上げる。これにより、連通チューブ１１８内に一挙に水が流れ込み、これは浮動用フロート１３１により完全にタンク１２１内の水が無くなる手前まで維持され、最後にはフロート１３１が連通チューブ１１８への出口を閉塞する。
【００５７】
連通チューブ１１８から水タンク１１７内に給水がなされると、その重さで堰部材１１２が一定のレベルまで下がり、水面のスカムを誘引するようになる。微量排水口１１９からは微量の水が排出されるので、その排出量が多くなるに従って堰部材１２は自らの浮力で浮き上がる。尚、図３５のような補助フロートを付してもよい。前記制御タンク１２１による方式は、図３１他の全ての実施例に適用できる。
【００５８】
尚、水タンク１１７に代えて仮想線で示す水タンク１３６を用いてもよい。同タンク１３６は、後方寄りで支点１３７で支持され、通常は後下がり状態とされている。タンク１３６の前端と堰部材１１２とがロッド１３８で連動自在に結合され、さらに、タンク１３６の先端には微量排水口１３９が設けられている。
【００５９】
点線のように給水がなされてゆくと、支点１３７を基準に水タンク１３６が前向きに倒れるようになる。その時点から、溜まった水は前方に移行し、そのモーメントで堰部材１１２は押し下げられる。この場合も微量排水口１３９からの排水と堰部材１１２の浮力等により復帰する。
【００６０】
図３７および図３８は、コンクリート製あるいはメタル製のトラフ１４１に常時スカムが流入するようにし、一定時間置きに、ゲート１４２が開閉するように構成したものである。１４３は中継ピットである。
【００６１】
図３９は、図３１ないし図３５に示す堰部材の他の実施例を示す。同堰部材１４５は、１／４円筒あるいは仮想線の半円筒形の本体１４６と回転軸１４７間を継ぎ材１４８で連結したものである。
【００６２】
図４０に示す実施例は、トラフ９０に丸筒形の堰部材１５０を回転可能に配し、同堰部材１５０にシール１５１を接触させるとともに、上端に突起１５２を設けたものである。突起１５２は仮想線のようにやや前側に配してもよい。
【００６１】
図４１に示す実施例は、トラフ９０にシール１５１を介して一部に切欠状の開口１５４を備えた堰部材１５５を設けたもので、回転により図４２に示すように開口１５４が水面以下になってスカムを誘引し、その長手方向に導いて排出ルートにのるようになっている。
【００６２】
図４３に示す実施例は、Ｊ字形（あるいはＬ字形）で回転軸１５７付近の部分を丸く形成した堰部材１５８としたものである。図４４に示す実施例は、回転軸１６０から継ぎ材１６１を介して円弧形の本体１６２を取り付けた堰部材１６３であり、特に、ゴム製で可撓性のシール１６４で堰部材１６３とトラフ９０間を仕切ったものである。
【００６３】
【発明の効果】
この発明は以上のようなスカム除去装置であるので、更なるコストダウンと施工の容易化を図れるようにしたスカム除去装置を提供することができる。
【図面の簡単な説明】
【図１】この発明の一実施例を示す図２のＩ−Ｉ線断面図。
【図２】図１のＩＩ−ＩＩ線断面図。
【図３】他の実施例を示す要部断面図。
【図４】他の実施例を示す要部断面図。
【図５】他の実施例を示す要部断面図。
【図６】他の実施例を示す要部断面図。
【図７】駆動手段の一例を示す側面図。
【図８】駆動手段の他の例を示す側面図。
【図９】連動機構の他の例を示す側面図。
【図１０】コンクリート製トラフとそのはつり部の様子を示す平面図。
【図１１】図１０のＸＩ−ＸＩ線断面図。
【図１２】他の実施例を示す要部断面図。
【図１３】他の実施例を示す要部断面図。
【図１４】他の実施例を示す要部断面図。
【図１５】他の実施例を示す要部断面図。
【図１６】他の実施例を示す要部断面図。
【図１７】他の実施例を示す要部断面図。
【図１８】他の実施例を示す要部断面図。
【図１９】他の実施例を示す要部断面図。
【図２０】他の実施例を示す要部断面図。
【図２１】他の実施例を示す要部断面図。
【図２２】他の実施例を示す要部断面図。
【図２３】他の実施例を示す要部断面図。
【図２４】他の実施例を示す要部断面図。
【図２５】他の実施例を示す要部断面図。
【図２６】他の実施例を示す要部断面図。
【図２７】他の実施例を示す要部断面図。
【図２８】他の実施例を示す要部断面図。
【図２９】他の実施例を示す要部断面図。
【図３０】他の実施例を示す要部断面図。
【図３１】他の実施例を示し図３２のＸＸＸＩ−ＸＸＸＩ線断面図。
【図３２】図３１の正面図。
【図３３】堰部材の他の実施例を示す要部断面図。
【図３４】堰部材の他の実施例を示す要部断面図。
【図３５】堰部材の他の実施例を示す要部断面図。
【図３６】スカム除去装置の他の実施例を示す要部断面図。
【図３７】スカム除去装置の他の実施例を示す要部断面図。
【図３８】図３７の平面図。
【図３９】堰部材の他の実施例を示す側面図。
【図４０】堰部材の他の実施例を示す要部断面図。
【図４１】堰部材の他の実施例を示す要部断面図。
【図４２】堰部材の他の実施例を示す要部断面図。
【図４３】堰部材の他の実施例を示す要部断面図。
【図４４】堰部材の他の実施例を示す要部断面図。
【符号の説明】
４，９８…フライト、５…水面、７，９０，１１０，１４１…トラフ、１３…変位部材、１５，９１，１１２，１４５，１５０，１５５，１６３…堰部材、６５…シール部材。
【図１】
0003959750.tif 000002
【図２】
0003959750.tif 000003
【図３】
0003959750.tif 000004
【図４】
0003959750.tif 000005
【図５】
0003959750.tif 000006
【図６】
0003959750.tif 000007
【図７】
0003959750.tif 000008
【図８】
0003959750.tif 000009
【図９】
0003959750.tif 000010
【図１０】
0003959750.tif 000011
【図１１】
0003959750.tif 000012
【図１２】
0003959750.tif 000013
【図１３】
0003959750.tif 000014
【図１４】
0003959750.tif 000015
【図１５】
0003959750.tif 000016
【図１６】
0003959750.tif 000017
【図１７】
0003959750.tif 000018
【図１８】
0003959750.tif 000019
【図１９】
0003959750.tif 000020
【図２０】
0003959750.tif 000021
【図２１】
0003959750.tif 000022
【図２２】
0003959750.tif 000023
【図２３】
0003959750.tif 000024
【図２４】
0003959750.tif 000025
【図２５】
0003959750.tif 000026
【図２６】
0003959750.tif 000027
【図２７】
0003959750.tif 000028
【図２８】
0003959750.tif 000029
【図２９】
0003959750.tif 000030
【図３０】
0003959750.tif 000031
【図３１】
0003959750.tif 000032
【図３２】
0003959750.tif 000033
【図３３】
0003959750.tif 000034
【図３４】
0003959750.tif 000035
【図３５】
0003959750.tif 000036
【図３６】
0003959750.tif 000037
【図３７】
0003959750.tif 000038
【図３８】
0003959750.tif 000039
【図３９】
0003959750.tif 000040
【図４０】
0003959750.tif 000041
【図４１】
0003959750.tif 000042
【図４２】
0003959750.tif 000043
【図４３】
0003959750.tif 000044
【図４４】
0003959750.tif 000045